(57)【要約】      （修正有）【課題】圧縮気体の漏れや暴発を防止したり、取り扱いし易いようにした圧縮方式の捕捉網噴射機の提供。【解決手段】目標物を捕捉するための捕捉網５と、この捕捉網５を収納する網収納部４と、この網収納部４から捕捉網５を噴射して展開するための圧縮気体を蓄積するタンク部２と、このタンク部２の蓋部３を操作するための操作部７０と、操作部７０及び蓋部３を接続するリンク部１とを備えており、操作部７０の操作によってリンク部１を動作させ、蓋部３を開状態にするように構成した。【選択図】図２
0003116887.tif 000002
【実用新案登録請求の範囲】
【請求項１】
目標物を捕捉するための捕捉網（５）と、この捕捉網を収納する網収納部（４）と、この網収納部から前記捕捉網を噴射して展開するための圧縮気体を蓄積するタンク部（２）と、このタンク部の蓋部（３）を操作するための操作部（７０）と、前記操作部及び前記蓋部を接続するリンク部（１）とを備えており、前記操作部の操作によって前記リンク部を動作させ、前記蓋部を開状態にするように構成したことを特徴とする捕捉網噴射機。
【請求項２】
前記リンク部（１）が、前記圧縮気体による前記タンク部（２）内圧力に対抗して前記蓋部（３）を押えるための押え部材（１０）と、この押え部材を回転自在に支持する回転軸（１１）と、前記操作部（７０）に連動して前記押え部材を回転動作するための動作部材（１２）とからなることを特徴とする請求項１に記載の捕捉網噴射機。
【請求項３】
前記捕捉網（５）を噴射する出口付近に、着脱自在のアタッチメント部（６）を備え、このアタッチメント部が、略中心に前記捕捉網を噴射するための噴射口（６１）を有し、この噴射口の周りに、前記捕捉網に設けられた複数の錘体（５０）を収納して保持する複数の錘保持部（６０）を有することを特徴とする請求項１又は２に記載の捕捉網噴射機。
【請求項４】
前記網収納部（４）を有する網容器部（９）と、前記タンク部（２）との間に緩衝部（８）を備え、前記緩衝部が、前記捕捉網（５）を噴射する際における前記網容器部の反発力を、前記タンク部に対して緩衝するように構成されていることを特徴とする請求項１〜３のいずれか１項に記載の捕捉網噴射機。
【請求項５】
前記タンク部（２）が、圧縮気体を充填するための接続部（２０）を備えていることを特徴とする請求項１〜４のいずれか１項に記載の捕捉網噴射機。
【請求項６】
前記蓋部（３）が略中心に膨出部（３ａ）を備えており、前記タンク部（２）の開口部（２ａ）の径が、前記膨出部の径と略同じになるように構成したことを特徴とする請求項１〜５のいずれか１項に記載の捕捉網噴射機。
【請求項７】
前記タンク部（２）の周囲に、弾性ゴム部材（２３）を巻き付けていることを特徴とする請求項１〜６のいずれか１項に記載の捕捉網噴射機。
【請求項８】
前記タンク部（２）が、着脱自在に設けられていることを特徴とする請求項１〜７のいずれか１項に記載の捕捉網噴射機。
【考案の詳細な説明】
【技術分野】
【０００１】
本考案は、学校や銀行に侵入した不審者などを捕捉するための捕捉網噴射機に関するものである。
【背景技術】
【０００２】
捕捉網噴射機は、内部に捕捉網を収納しており、この捕捉網を目標物へ噴射し展開して捕捉するものである。目標物には、学校や銀行等に侵入した不審者や、捕獲して保護するための動物等がある。この捕捉網噴射機は、比較的小型であって、手で持ち上げて目標物へ方向を定め、捕捉網を噴射するようになっている。この捕捉網噴射機は、火薬や圧縮空気等を、捕捉網を噴射するためのエネルギーとしている。圧縮空気方式は、火薬方式に比べて安全性に優れているが、従来の捕捉網噴射機では、圧縮空気が漏れたり暴発したりして、肝心なときに使用できないことがある。
【考案の開示】
【考案が解決しようとする課題】
【０００３】
そこで、本考案が解決しようとする課題は、圧縮気体の漏れや暴発を防止したり、取り扱いし易いように工夫した圧縮気体方式の捕捉網噴射機を提供することにある。
【課題を解決するための手段】
【０００４】
前記した課題を解決するために、本発明の請求項１に係る捕捉網噴射機は、目標物を捕捉するための捕捉網と、この捕捉網を収納する網収納部と、この網収納部から捕捉網を噴射して展開するための圧縮気体を蓄積するタンク部と、このタンク部の蓋部を操作するための操作部と、操作部及び蓋部を接続するリンク部とを備えており、操作部の操作によってリンク部を動作させ、蓋部を開状態にするように構成した。
【０００５】
請求項２に記載の捕捉網噴射機は、請求項１に記載の捕捉網噴射機において、リンク部が、圧縮気体によるタンク部内圧力に対抗して蓋部を押えるための押え部材と、この押え部材を回転自在に支持する回転軸と、操作部に連動して押え部材を回転動作するための動作部材とからなる。
【０００６】
請求項３に記載の捕捉網噴射機は、請求項１又は２に記載の捕捉網噴射機において、捕捉網を噴射する出口付近に、着脱自在のアタッチメント部を備え、このアタッチメント部が、略中心に捕捉網を噴射するための噴射口を有し、この噴射口の周りに、捕捉網に設けられた複数の錘体を収納して保持する複数の錘保持部を有する。
【０００７】
請求項４に記載の捕捉網噴射機は、請求項１〜３のいずれか１項に記載の捕捉網噴射機において、網収納部を有する網容器部と、タンク部との間に緩衝部を備え、緩衝部が、捕捉網を噴射する際における網容器部の反発力を、タンク部に対して緩衝するように構成されている。
【０００８】
請求項５に記載の捕捉網噴射機は、請求項１〜４のいずれか１項に記載の捕捉網噴射機において、タンク部が、圧縮気体を充填するための接続部を備えている。
【０００９】
請求項６に記載の捕捉網噴射機は、請求項１〜５のいずれか１項に記載の捕捉網噴射機において、蓋部が略中心に膨出部を備えており、タンク部の開口部の径が、膨出部の径と略同じになるように構成した。
【００１０】
請求項７に記載の捕捉網噴射機は、請求項１〜６のいずれか１項に記載の捕捉網噴射機において、タンク部の周囲に、弾性ゴム部材を巻き付けている。
【００１１】
請求項８に記載の捕捉網噴射機は、請求項１〜７のいずれか１項に記載の捕捉網噴射機において、タンク部が着脱自在に設けられている。
【考案の効果】
【００１２】
本考案は、上記したように、操作部を操作してリンク部を動作することによって蓋部が開くよう構成されているので、蓋部の開閉を的確に操作することでき、圧縮空気の漏れや爆発を確実に防止することができる。又、リンク部が、圧縮気体の高圧（噴射力）に対抗して蓋部を閉じる押え部材を備えており、この押え部材を操作部で動作させるよう構成されているので、比較的簡易な構造であるにも拘らず、着実且つ的確に蓋部の開閉を操作できる。
【考案を実施するための最良の形態】
【００１３】
以下、図面に基づいて、本考案に係る捕捉網噴射機の実施例について詳細に説明する。
【００１４】
図１は、本考案に係る捕捉網噴射機を示す外観斜視図である。図２は、捕捉網噴射機を示す断面図である。図３は、アタッチメント部を説明するための斜視図である。図４は、緩衝部を説明するための斜視図である。
【００１５】
先ず、図１及び図２に基づき、捕捉網噴射機について説明する。以下、説明し易いように、捕捉網噴射機において、網収納部４側を前方とし、タンク部２側を後方とする。捕捉網噴射機は、前方側の網収納部４と後方側のタンク部２との間に、機器収納部７が設けられている。機器収納部７は、前方側に螺子部７ｂで螺合された網容器部４が設けられ、後方側にボルト７ｂで連結されたタンク部２が設けられている。
【００１６】
タンク部２は、内部に圧縮空気が蓄積されている。従って、タンク部２内は、大気圧に対して高圧状態になっている。タンク部２は、前方側に開口部２ａが設けられている。開口部２ａに、開閉軸３０によって開閉自在に軸支された蓋部３が備えられている。タンク部２は、後方側に逆支弁を備えた接続部２０が備えられている。この接続部２０は、コンプレッサーなどの圧縮機に接続されて、この捕捉網噴射機を使用した後でも、タンク部２内へ圧縮空気を充填して、再使用できるようになっている。そして、タンク部２の後方側に設けられた圧力計２１で、タンク部２内の圧力状態を観測する。
【００１７】
タンク部２は、後方側に、接続部２０及び圧力計２１をカバーして保護するための保護部２２が螺合されている。更に、タンク部２の周囲に、第一弾性ゴム部材２３が巻き付けられており、タンク部２の破裂を防止すると共に、捕捉網噴射機を手に持って使用する際の滑り止めとしての機能もある。
【００１８】
蓋部３は、略中心に、後方側に膨らんだ膨出部３ａを備えている。開口部２ａの径は、この膨出部３ａの径と略同じ大きさに形成されている。機構収納部７は、ボタン方式の操作部７０を備えている。この操作部７０は、バネ等の付勢部７１で常時に突出するようになっている。操作部７０は、リンク部１を介して蓋部３に接続されている。
【００１９】
リンク部１は、前後方向にのびる押え部材１０を備えている。押え部材１０は、回転軸１１で回転自在に軸支されている。押え部材１０は、前方側に動作部材１２が枢支され、この動作部材１２を介して操作部７０に連結されている。押え部材１０の後端側は、蓋部３を押えており、蓋部３の開方向への移動を抑止している。即ち、タンク部２内は高圧状態なので、タンク部２内の圧縮気体が蓋部３を開こうとするが、押え部材１０で、蓋部３を押えることによって、蓋部３の動作を抑止している。
【００２０】
網容器部９は、後方側が同じ径で前方側に向けて徐々に広くなっている。使用時に、網容器部９の同径部分を握るので、手が滑り難いように周囲に第二弾性ゴム部材９１が巻き付けられている。網容器部９内には、捕捉網５を収納するための、筒状の網収納部４が備えられている。網収納部４は、前方側が開口し、後方側が窄んでいる。そして、網収納部４の後方側は、複数の通気孔４０が貫通して設けられている。更に、網収納部４の周囲に間隙を設け、圧縮空気を通過するための流路部９０が形成されている。
【００２１】
図３に示すように、アタッチメント部６は、略中心に開口する噴射口６１と、この噴射口６１の周りに、貫通した複数個の錘保持部６０とを備えている。捕捉網５は、周囲に、連結体５１を介して複数個の錘体５０を備えている。錘保持部６０の径は、錘体５０の径より若干小さく形成されており、この錘保持部６０に錘体５０を嵌め込んで収納、保持するよう構成されている。アタッチメント部６は、各錘保持部６０と噴射口６１とを連結する切欠き部６２が設けられている。捕捉網５は、連結体５１を切欠き部６２に配置して、アタッチメント部６の中心に位置するようになっている。
【００２２】
図２に示すように、網容器部９の前端に、アタッチメント部６が配置される。アタッチメント部６を網容器部９前端に配置した状態で、錘保持部６０は流路部９０に、噴射口６１は網収納部４の開口部に、それぞれ接続する。網容器部９の前部は、螺子切り部６２ａに取付具６２を螺合できるようになっており、この取付具６２を介してアタッチメント部６を掛止、保持できるよう構成されている。従って、アタッチメント部６に捕捉網５を取り付け、折り畳んだ捕捉網５を網収納部４に収納して、アタッチメント部６を網容器部９に取り付ける。更に、この取付具６２の前端側に、網容器部９の前端部全体を覆うカバー部６３が設けられている。このカバー部６３は、捕捉網５の噴射によって粉砕、飛散するようになっている。
【００２３】
次に、図２に基づき、捕捉網噴射機の使用動作について説明する。使用する際、捕捉網噴射機の前方側を目標物へ向け、操作部７０を押す。これにより、動作部材１２が、押え部材１０を、回転軸１１を中心にして矢印方向Ｉへ回転する。押え部材１０の後端が、蓋部３からタンク部の突出部２ｂへ渡って設けられた滑動溝１０ａ（図４参照）を滑り、蓋部３からタンク部２へ移動する。これによって、蓋部３が、タンク部２内の高圧（矢印方向ＩＩＩ）で、開閉軸３０を中心にして矢印方向ＩＩへ回転して開く。そして、タンク部２内の圧縮空気が、噴射し機構収納部７内を通過する。
【００２４】
更に、圧縮空気は、網容器部９へ送られ、通気孔４０（矢印方向ＩＶ）及び流路部９０（矢印方向Ｖ）へ送られる。そして、圧縮空気が、網収納部４内の捕捉網５と、錘保持部６０内の錘体５０にぶつかり、その風圧によって捕捉網５及び錘体５０を前方へ運ぶ。その後、捕捉網５及び錘体５０が、カバー部６３を突き破り、目標物に落下する。その際、流路部９０が広がっているので、錘体５０も広がって運ばれ、捕捉網５が展開した状態で噴射されて、目標物を覆うことができるようになっている。
【００２５】
使用後には、網容器部９を機構収納部７から取り外し、蓋部３及びリンク部１を元の状態に戻して、コンプレッサー等の圧縮機を接続部２０へ接続し、タンク部２内に圧縮空気を充填する。そして、網容器部９を取り付け、網容器部９の前端に、捕捉網５を備えた新たなアタッチメント部６を取り付けることにより、再び使用することができる。
【００２６】
図２及び図４の如く、緩衝部８は、第一載置部８０、第二載置部８２及び弾性部８０を備えている。第一載置部８０及び第二載置部８２は、弾性部８０を介して連結されている。第一載置部８０は、タンク部２の前方に接合され、第二載置部８２は、機器収納部７の後方に接合される。緩衝部８は、タンク部２の前方方向へ突出する突出部２ｂに嵌め込まれている。そして、第二載置部８１は、タンク部の突出部２ｂより若干（１〜５ｍｍ程度）前方側に配置されている。これにより、機器収納部７及びタンク部２が、緩衝部８の弾性部８０によって、軸方向に若干遊動可能になっている。従って、捕捉網５を噴射する際の、網容器部９機及び構収納部７の反発力による後方への慣性力が、緩衝部８によって緩衝されてタンク部２へ伝わるので、使用者の衝撃が緩和され、取り扱いし易いようになっている。
【００２７】
上記実施例の捕捉網噴射機は、タンク部２が固着された方式であるが、タンク部２が着脱自在であってもよい。この場合、捕捉網噴射機を使用した後、タンク部２を取り外し、圧縮気体が蓄積された新たなタンク部２を取り付けることにより、捕捉網噴射機を再使用することができる。タンク部２の着脱は、開口部２ａを蓋部３付近に嵌め込む方式等があるが、これに限定されない。
【図面の簡単な説明】
【００２８】
【図１】本考案に係る捕捉網噴射機を示す外観斜視図である。
【図２】捕捉網噴射機を示す断面図である。
【図３】アタッチメント部を説明するための斜視図である。
【図４】緩衝部を説明するための斜視図である。
【符号の説明】
【００２９】
１  リンク部
２  タンク部
２ａ  開口部
３  蓋部
３ａ  膨出部
４  網収納部
５  捕捉網
６  アタッチメント部
８  緩衝部
９  網容器部
１０  押え部材
１１  回転軸
１２  動作部材
２０  接続部
２３  弾性ゴム部材
５０  錘体
６０  錘保持部
６１  噴射口
７０  操作部
【図１】
0003116887.tif 000003
【図２】
0003116887.tif 000004
【図３】
0003116887.tif 000005
【図４】
0003116887.tif 000006